(57)【特許請求の範囲】
【請求項１】
車両に隣り合って配置される複数のシートの下方に設置されるバッテリパックの着脱構造であって、
前記複数のシートが隣り合う並び方向に沿って前記バッテリパックを案内する案内部材と、前記複数のシート間に設けられて前記バッテリパックを前記車両に固定する固定部材と、を備え、
前記複数のシートのうちいずれか一つのシートを取り外したときに前記バッテリパックの固定又はその解除が可能な位置に前記固定部材が設けられ、前記案内部材に沿って前記バッテリパックを移動させて前記車両と着脱させるバッテリパックの着脱構造。
【請求項２】
前記バッテリパックの前記並び方向の長さが、前記複数のシートのうちいずれか一つのシートを取り外したときに生じる空間の前記並び方向の幅よりも短い請求項１に記載の着脱構造。
【請求項３】
前記固定部材が前記複数のシート間に設けられている請求項１又は２に記載の着脱構造。
【請求項４】
前記バッテリパックには、前記案内部材と接触して案内されるスライド部が設けられている請求項１〜３のいずれか一項に記載の着脱構造。
【請求項５】
前記スライド部が、前記固定部材を介して前記案内部材に固定される請求項４に記載の着脱構造。
【請求項６】
前記案内部材には、前記スライド部が嵌まり込んで案内される溝が設けられている請求項４又は５に記載の着脱構造。
【請求項７】
車両に隣り合って配置される複数のシートの下方に固定されたバッテリパックの取外し方法であって、
前記複数のシートのうちいずれか一つのシートを取り外すシート取外し工程と、
前記車両に対する前記バッテリパックの固定を解除する解除工程と、
前記複数のシートが隣り合う並び方向に沿って前記バッテリパックを案内する案内部材にて、前記バッテリパックを前記並び方向に沿って移動させて前記車両から取り出す取出し工程と、
を備えたバッテリパックの取外し方法。
【発明の詳細な説明】
【技術分野】
【０００１】
本発明は、車両に搭載されるバッテリパックの着脱構造等に関する。
【背景技術】
【０００２】
車両のフロントシートの下部にバッテリパックを設置した自動車が知られている（特許文献１参照）。このようなバッテリパックは、電気自動車やハイブリッド自動車等の駆動源として使用される。
【先行技術文献】
【特許文献】
【０００３】
【特許文献１】特開２００４−２９１７１５号公報
【発明の概要】
【発明が解決しようとする課題】
【０００４】
バッテリパックはフロントシートの両座席の下方に配置されているため、両方の座席を取り外さないとバッテリパックの着脱ができない。このため、バッテリパックの着脱に時間を要している。
【０００５】
そこで、本発明は容易に着脱可能なバッテリパックの着脱構造及びその取外し方法を提供することを目的とする。
【課題を解決するための手段】
【０００６】
本発明のバッテリパックの着脱構造は、車両に隣り合って配置される複数のシートの下方に設置されるバッテリパックの着脱構造であって、前記複数のシートが隣り合う並び方向に沿って前記バッテリパックを案内する案内部材と、前記複数のシート間に設けられて前記バッテリパックを前記車両に固定する固定部材と、を備え、前記複数のシートのうちいずれか一つのシートを取り外したときに前記バッテリパックの固定又はその解除が可能な位置に前記固定部材が設けられ、前記案内部材に沿って前記バッテリパックを移動させて前記車両と着脱させる（請求項１）。
【０００７】
本発明の着脱構造によれば、車両内のいずれか一つのシートを取り外すことにより、バッテリパックを車両に固定する固定部材による固定又はその解除を行うことができる空間が生じる。取り外す場合、固定部材によるバッテリパックの車両への固定を解除した後、案内部材に沿って並び方向へバッテリパックを引き出す。取り付ける場合には、バッテリパックを案内部材に沿って移動させ、所定位置にて固定部材を介してバッテリパックを車両へ固定する。従って、バッテリパックの着脱に際し、いずれか一つのシートを取り外すだけで、容易にバッテリパックを車両から着脱することができる。
【０００８】
本発明の着脱構造の一形態において、前記バッテリパックの前記並び方向の長さが、前記複数のシートのうちいずれか一つのシートを取り外したときに生じる空間の前記並び方向の幅よりも短くてもよい（請求項２）。これによれば、一つのシートを車両から取り外したときに生ずる空間を利用して、バッテリパックの着脱を確実に行うことができる。
【０００９】
本発明の着脱構造の一形態において、前記固定部材が前記複数のシート間に設けられていてもよい（請求項３）。これによれば、一つのシートを取り外すだけで固定部材による作業が可能な状態となるので、バッテリパックの車両への固定又はその解除をすることができる。
【００１０】
本発明の着脱構造の一形態において、前記バッテリパックには、前記案内部材と接触して案内されるスライド部が設けられていてもよい（請求項４）。これによれば、スライド部が案内部材によって案内されるので、車両内で容易にバッテリパックを移動させることができる。
【００１１】
スライド部が設けられた形態において、前記スライド部が、前記固定部材を介して前記案内部材に固定されてもよい（請求項５）。これによれば、案内部材とスライド部とが固定部材により固定されるので、固定部材による固定の解除後、そのままスライドさせることによりバッテリパックを移動させることができ、あるいは、案内部材にてバッテリパックを所定位置まで移動させて、固定部材により車両に固定することができる。
【００１２】
スライド部が設けられた形態において、前記案内部材には、前記スライド部が嵌まり込んで案内される溝が設けられていてもよい（請求項６）。これによれば、スライド部は案内部材の溝に嵌まり込んで案内されるので、バッテリパックの移動時のがたつきを軽減し、スムーズにスライドさせることができる。
【００１３】
本発明のバッテリパックの取外し方法は、車両に隣り合って配置される複数のシートの下方に固定されたバッテリパックの取外し方法であって、前記複数のシートのうちいずれか一つのシートを取り外すシート取外し工程と、前記車両に対する前記バッテリパックの固定を解除する解除工程と、前記複数のシートが隣り合う並び方向に沿って前記バッテリパックを案内する案内部材にて、前記バッテリパックを前記並び方向に沿って移動させて前記車両から取り出す取出し工程と、を備えている（請求項７）。
【００１４】
本発明の取外し方法によれば、車両内のシートのうちいずれか一つを取り外し、シートの取外しにより生じた空間を利用して車両に固定されているバッテリパックの固定を解除する。そして、バッテリパックを案内部材に沿って並び方向にスライドすることで車両内から取り出すことができる。従って、いずれか一つのシートを取り外すだけで、容易にバッテリパックを車両から取り外すことができる。
【発明の効果】
【００１５】
以上、説明したように、本発明においては、車両内のいずれか一つのシートを取り外すことにより、バッテリパックを車両に固定する固定部材による固定又はその解除を行うことができる空間が生じる。取り外す場合、固定部材によるバッテリパックの車両への固定を解除した後、案内部材に沿って並び方向へバッテリパックを引き出す。取り付ける場合には、バッテリパックを案内部材に沿って移動させ、所定位置にて固定部材を介してバッテリパックを車両へ固定する。従って、バッテリパックの着脱に際し、いずれか一つのシートを取り外すだけで、容易にバッテリパックを車両から着脱することができる。
【図面の簡単な説明】
【００１６】
【図１】本発明の一形態に係るバッテリパックの着脱構造が適用された車両内の要部を示す概略図。
【図２】図１の上方からみた上面概略図。
【図３】図１中の破線で囲まれた領域IIIの拡大断面図。
【図４】変形例に係る着脱構造の要部を示す拡大断面図。
【発明を実施するための形態】
【００１７】
図１は、本発明の一形態に係るバッテリパックの着脱構造が適用された車両内の要部を示す概略図である。車両１内には、運転席及び助手席に相当する複数のシートとしてのフロントシート２が隣り合って配置される。なお、各フロントシート２が隣り合う向きを並び方向Ｄという。各フロントシート２の下方には、バッテリパック３が設置される。バッテリパック３は、車両１の駆動源等として用いられる。
【００１８】
図２に図１の上方からみた上面概略図を示し、図３に、図１中の破線で囲まれた領域IIIの拡大断面図を示す。各フロントシート２の下部には、シートレール２ａが設けられている。シートレール２ａは、フロントシート２を前後方向にスライド可能としている。各フロントシート２の下方には、バッテリパック３が設置されるとともに、バッテリパック３を並び方向Ｄに沿って案内する案内部材としてのブラケット４が設けられる。バッテリパック３の並び方向Ｄに沿った面の両側にはそれぞれ、ブラケット４の案内面４ａと接触してスライドするスライド部３ａがせり出すようにして設けられる。バッテリパック３の並び方向Ｄに沿った移動の際には、スライド部３ａがブラケット４の案内面４ａ上を案内される。スライド部３ａには、車両１に固定するための固定部材としての固定部３ｂが設けられている。固定部３ｂは、フロントシート２間の所定の位置に設けられ（図２では４箇所）、ブラケット４に対してスライド部３ａを固定することにより、車両１にバッテリパック３を固定する。固定部３ｂは、スライド部３ａに対して突出する形状を有する。固定部３ｂには、スライド部３ａ及びブラケット４を固定するためのボルト５ａと、スライド部３ａ及びブラケット４のそれぞれ対応する位置にボルト５ａを取り付ける貫通孔５ｂとが設けられる。各固定部３ｂにおいて、貫通孔５ｂにボルト５ａを取り付けて締め付けることによりブラケット４にバッテリパック３が固定され、あるいは、ボルト５ａを緩めることによりその解除が可能となる。一例として、バッテリパック３は、図２に示すように各フロントシート２を跨ぐようにして固定される。このとき、各固定部３ｂが各フロントシート２間に位置するように固定される。
【００１９】
ブラケット４には、ボルト６ａで固定するための貫通孔６ｂが設けられ、ボルト６ｂを締め付けて車両１の床面１ａに固定される。ブラケット４は、シートレール２ａを支持する部材とともにボルト６ｂにより床面１ａに固定されてもよい。ブラケット４の案内面４ａは、平坦な面が並び方向Ｄに沿って設けられ、バッテリパック３を着脱するときに案内面４ａ上をスライドするようにスライド部３ａを案内する。
【００２０】
次にバッテリパック３の取外し方法について説明する。バッテリパック３を取り外す際には、まず、フロントシート２のいずれか一方を取り外す。本形態においては、図２中、向かって右側のフロントシート２を取り外すようにして説明する。なお、フロントレール２ａごと取り外される。フロントシート２を取り外すことにより、車両１内に空間が生じる。この空間の並び方向Ｄの幅Ｗは、取り外していないフロントシート２と車両１を構成するドア７との間の距離である。この幅Ｗよりもバッテリパック３の並び方向Ｄの長さが短く構成される。次に、この空間を活かしてバッテリパック３の各固定部３ｂのボルト５ａを取り外す。各固定部３ｂはフロントシート２間に位置しているので、いずれか一つのフロントシート２を取り外すだけで各固定部３ｂの解除が可能となる。各固定部３ｂを解除すると、スライド部３ａがブラケット４の案内面４ａ上をスライドして案内され、フロントシート２の下方からバッテリパック３を引き出すことができる。引き出しの際には、ドア７を開けてバッテリパック３を取り出してもよい。バッテリパック３の並び方向Ｄの長さが幅Ｗの長さよりも短くなるようにバッテリパック３が構成されているため、フロントシート２を一つ取り外した状態でも容易にバッテリパック３を取り出すことができる。なお、バッテリパック３の取付け方法は、この逆の手順にて行えばよい。従って、一つのフロントシート２を取り外すだけでバッテリパック３の着脱ができるため、容易な着脱を可能とし、作業者の負担を軽減することができる。
【００２１】
本発明は、上述した形態に限定されることなく、種々の形態にて実施することができる。例えば、本形態では、案内面４ａを平坦な面として説明したがこれに限られない。図４を参照して、変形例に係る着脱構造を説明する。なお、本変形例の着脱構造は、上述した形態の一部を変更したものである。従って、図４において、上述の形態と同様の部分については、同一の参照符号を付して説明を省略する。図４は、図３に対応しており、図中において、上述した形態からの変更部分には、対応する構成要素の参照符号に添え字Ａを付して示している。
【００２２】
本変形例では、各ブラケット４Ａの案内面４ａＡに溝４ｂが設けられ、この溝４ｂにバッテリパック３Ａのスライド部３ａＡの端部３ｃが嵌まり込むように曲げられている。案内面４ａＡに溝４ｂを構成することで、ブラケット４Ａの剛性が向上するとともに、バッテリパック３Ａのスライド時のガイド機能を付与することができる。これにより、スライド時のがたつきを軽減することができる。なお、上述した形態では、図２に示すようにスライド部３ａに対して固定部３ｂが突出する形状にて説明したが、本変形例のように溝４ｂを設ける形態においてはスライド部３ａの端部３ｃが直線状となるように構成してもよいし、固定部３ｂの突出した部分のみが溝４ｂと嵌まり合うように曲げられていてもよく、適宜の変更が可能である。同様に、上述した形態においてもスライド部３ａ及び固定部３ｂの形状について適宜の変更が可能である。
【００２３】
上述した形態においては、バッテリパック３をフロントシート２間に設置したが、これに限られず、取り外すべき一方のフロントシート２の下方に偏って設置されてもよい。バッテリパック３の固定部３ｂが一つのフロントシート２を取り外したときに作業者が作業可能な位置に設けられていれば、同様の効果を有する。また、取り外さないフロントシート２の下方にバッテリパック３が設けられていても、固定部３ｂが幅Ｗの占める位置内に設けられていれば、作業者による作業が可能となるので、バッテリパック３の設置位置についても適宜の変更が可能である。固定部３ｂの個数についても４箇所に限られず、バッテリパック３の大きさ、レイアウト等に応じて適宜の変更が可能である。スライド部３ａは必ずしも必要ではなく、バッテリパック３がブラケット４に直接案内されるような構成でもよい。スライド部３ａと固定部３ｂとがバッテリパック３の異なる場所に別々に設けられていてもよい。本形態においては、複数のシートとして運転席及び助手席に相当するフロントシート２で説明したが、これに限られない。３つ以上のシートのうちいずれか一つのシートを取り外すように構成しても、上述した形態と同様の効果を得ることができる。フロントシート２以外の座席にバッテリパック３を設けてもよく、隣り合う座席間にバッテリパック３を設ける形態であれば、本発明を適用できる。
【符号の説明】
【００２４】
１  車両
２  フロントシート（シート）
３  バッテリパック
３ａ  スライド部
３ｂ  固定部（固定部材）
４  ブラケット（案内部材）
【図１】
0005454322.tif 000002
【図２】
0005454322.tif 000003
【図３】
0005454322.tif 000004
【図４】
0005454322.tif 000005